(57)【要約】      （修正有）【課題】ウエル工法で建設された既設橋脚の基礎部分を、そのままの状態で、地震などの強い横方向の揺れ（衝撃）に対して簡単に補強する方法を提供する。【解決手段】鉄筋コンクリートからなる円筒体の井筒を芯合わせしながら順次埋め込んで地中で複数段につながった連立井筒を構成し、この連立井筒の下部開放筒口にコンクリートで固めた底盤コンクリート部４を形成し、その後この連立井筒の内部に砂を詰め込んで押し固めてからこれを閉じ込めるように連立井筒の上部開放筒口にコンクリートで固めた上盤コンクリート部６を形成して構成されている既設橋脚の基礎において、前記連立井筒の内部にセメント硬化剤などの薬液を注入して前記砂を硬化させ、橋脚７の基礎を補強する橋脚の基礎補強方法。【選択図】図１
2005307470.tif 000002
【特許請求の範囲】
【請求項１】
鉄筋コンクリートからなる円筒体の井筒を芯合わせしながら順次埋め込んで地中で複数段につながった連立井筒を構成し、この連立井筒の下部開放筒口にコンクリートで固めた底盤コンクリート部を形成し、その後この連立井筒の内部に砂を詰め込んで押し固めてからこれを閉じ込めるように連立井筒の上部開放筒口にコンクリートで固めた上盤コンクリート部を形成して構成されている既設橋脚の基礎において、前記連立井筒の内部にセメント硬化剤などの薬液を注入して前記砂を硬化させ、橋脚の基礎を補強することを特徴とする橋脚の基礎補強方法。
【発明の詳細な説明】
【技術分野】
【０００１】
本発明は、戦後から昭和５０年頃までに採用された、いわゆるウエル工法によって建設された橋脚の基礎を補強する方法に関するものである。
【背景技術】
【０００２】
阪神大震災以後、地震対策の重要性の観点から既設の高速道路や橋などの橋脚の補強工事が多く行われている。しかしながら、その補強工事はもっぱら地上に出ている橋脚に対してのものであり、地中にある基礎には何ら行われていない。特に戦後から昭和５０年頃までに建設された橋脚の基礎はいわゆるウエル工法によって工事がなされているので問題が多い。
【０００３】
ここで、このウエル工法を図２〜図６を用いて以下に簡単に説明する。
図２において、（１）穴１Ａを掘る。（２）この一回目掘りの穴１Ａ内に井筒２Ａを造る。この一段目の井筒２Ａは、一回目掘りの穴１Ａの中で型枠を組んで鉄筋を立てコンクリートを流し込んで造る鉄筋コンクリート製の円筒体で、下面に爪３を有している。（３）一段目の井筒２Ａ内において再び穴１Ｂを掘る。
【０００４】
図３は、前記二回目掘りの穴１Ｂが掘られることにより、一段目の井筒２Ａが自重と爪３により二回目掘りの穴１Ｂ内に降下（落下）した状態を示している。この図３において、（４）一段目の井筒２Ａの上方に空いた一回目掘りの穴１Ａのところに二段目の井筒２Ｂを造る。この二段目の井筒２Ｂは、同じく型枠を組んで一段目の井筒２Ａの上面に露出した鉄筋と連結するように鉄筋を編みコンクリートを流し込んで造る鉄筋コンクリート製の円筒体からなる。（５）一段目の井筒２Ａ内において再び穴１Ｃを掘る。
【０００５】
図４は、前記三回目掘りの穴１Ｃが掘られることにより、芯合わせして積み重ねられた二連立の井筒２Ａ，２Ｂが自重と爪３により三回目掘りの穴１Ｃまで降下（落下）した状態を示している。この図４において、（６）二段目の井筒２Ｂの上方に空いた一回目掘りの穴１Ａのところに三段目の井筒２Ｃを前記二段目の井筒２Ｂと同様にして造ることと、そして四回目掘りの穴１Ｄを掘ることは、前記したことの繰り返しとなるので説明を省略する。
【０００６】
図５は、以上説明した方法により、中間を省略するも最後の八段目の井筒２Ｈが連立状態に積み上げられた状態を示している。この連立状態では八個の井筒２Ａ〜２Ｈが芯合わせされた状態で積み上げられた連立井筒になっている。図５において、（７）連立井筒の下部開放筒口にコンクリートで固めた底盤コンクリート部４を形成する。（８）連立井筒の内部に砂５を詰め込んで押し固める。
【０００７】
図６において、（９）連立井筒内の砂５を閉じ込めるように連立井筒の上部開放筒口にコンクリートで固めた上盤コンクリート部６を形成する。
以上でウエル工法による基礎が完了するので、後は図６に示すようにこの基礎部分の上盤コンクリート部６上に橋脚７を建設することになる。
【発明の開示】
【発明が解決しようとする課題】
【０００８】
以上のようにしてウエル工法で建設された既設橋脚の基礎部分は地震などで強い横方向の揺れ（衝撃）を受けると、図７に示すように連立井筒のつなぎ目がずれて各井筒２Ａ〜２Ｈの全部あるいは一部が互いに偏心した状態となるため、そしてこの偏心状態が地上から全く見えないために、そのまま上部の橋脚７が傾いてしまったり倒れたりするし、または次の揺れによって簡単にこの基礎部分がくずれて橋脚７が倒れるし、その際地上で見えるところの橋脚７の部分をいくら補強していても地中で見えないこの基礎部分がくずれると橋脚７が倒れるという問題がある。本発明は、かかる問題を簡単な方法で解決する方法を提供することを目的とする。
【課題を解決するための手段】
【０００９】
本発明は、鉄筋コンクリートからなる円筒体の井筒を芯合わせしながら順次埋め込んで地中で複数段につながった連立井筒を構成し、この連立井筒の下部開放筒口にコンクリートで固めた底盤コンクリート部を形成し、その後この連立井筒の内部に砂を詰め込んで押し固めてからこれを閉じ込めるように連立井筒の上部開放筒口にコンクリートで固めた上盤コンクリート部を形成して構成されている既設橋脚の基礎において、前記連立井筒の内部にセメント硬化剤などの薬液を注入して前記砂を硬化させ、橋脚の基礎を補強することを特徴とする。
【発明の効果】
【００１０】
本発明は、連立井筒の内部にセメント硬化剤などの薬液を注入して詰め込んで押し固められた砂を硬化させることにより、連立井筒がすでに各井筒間で偏心している場合には偏心した状態のまま、また各井筒が偏心していない場合にもそのまま全井筒が内部の砂と共に一つの固まりとして硬化されて補強されるので、この補強工事後の揺れによって各井筒間でずれたりそれ以上ずれたりすることがなく橋脚の倒れを防止できるという効果がある。
【発明を実施するための最良の形態】
【００１１】
ウエル工法による既設橋脚の基礎部分の連立井筒内にセメント硬化剤などの薬液を注入して砂を硬化することにより、実現した。
【００１２】
実施例
図１はウエル工法によって建設された既設橋脚に対して本発明の補強工法を施した状態を示す概略図である。図１において連立井筒の内部は、矢印で示すようにセメント硬化剤などの薬液８が圧力で注入されて砂５が硬化された状態（断面ハッチングで示す）になっている。従って、このように薬液８により硬化された状態では、地震などの揺れによって各つなぎ目がずれた状態の各井筒２Ａ〜２Ｈがそのまま一つの固まりとして硬化されているので、その後の揺れによっても各井筒２Ａ〜２Ｈ間でそれ以上ずれたりせず、橋脚７の倒れや傾きなどが防止できる。
【００１３】
注入したセメント硬化剤などの薬液８は、圧力で連立井筒の内部全体（底盤コンクリート部４の位置まで）にゆきわたらしても上方のみに終わらせてもよく、希望に応じて圧力や薬液の注入量などを適宜調整すればよい。いずれにしても連立井筒内の砂５が硬化して基礎の補強ができるという点では同様の効果を奏する。
【００１４】
薬液８の注入方向を図１の矢印で示したが、橋脚７が建設されている現場の状況によっては、側方などからも注入することも可能であり、その注入場所や注入方法も何ら限定するものではない。また、薬液８も連立井筒内部の砂５が十分に硬化できればいずれのものも使用できる。
【００１５】
上記実施例では連立井筒がすでに各井筒２Ａ〜２Ｈ間でつなぎ目がずれて偏心している状態のものに対して補強するとして説明したが、補強の対象としては、基礎部分が見えないこともあって、連立井筒が各井筒２Ａ〜２Ｈ間で偏心していない状態のものに対しても同様の補強をして同じく効果が得られることは勿論である。
【産業上の利用可能性】
【００１６】
本発明は、ウエル工法によって建設された既設橋脚の基礎の補強に広く活用できる。
【図面の簡単な説明】
【００１７】
【図１】本発明の実施例を示す概略図である。
【図２】従来のウエル工法を説明するための一段目の井筒２Ａの工事状態を示す概略図である。
【図３】図２に続いて二段目の井筒２Ｂの工事状態を示す概略図である。
【図４】図３に続いて三段目の井筒２Ｃの工事状態を示す概略図である。
【図５】図４に続いて最終的に連立井筒が工事された状態を示す概略図である。
【図６】図５に続いて橋脚が工事された状態を示す概略図である。
【図７】既設橋脚の基礎部分が各井筒間でつなぎ目がずれて偏心している状態を示す概略図である。
【符号の説明】
【００１８】
１Ａ：一回目掘りの穴
１Ｂ：二回目掘りの穴
１Ｃ：三回目掘りの穴
１Ｄ：四回目掘りの穴
２Ａ：一段目の井筒
２Ｂ：二段目の井筒
２Ｃ：三段目の井筒
２Ｆ：六段目の井筒
２Ｇ：七段目の井筒
２Ｈ：八段目の井筒
３：爪
４：底盤コンクリート部
５：砂
６：上盤コンクリート部
７：橋脚
８：薬液
【図１】
2005307470.tif 000003
【図２】
2005307470.tif 000004
【図３】
2005307470.tif 000005
【図４】
2005307470.tif 000006
【図５】
2005307470.tif 000007
【図６】
2005307470.tif 000008
【図７】
2005307470.tif 000009